(57)【要約】      （修正有）【課題】誤封入等の事故が起こらず、開封後は平面に展開するため情報の確認がしやすく、製造に関しても極めて容易に製造することが可能な折り畳み封書を提供する。【解決手段】縦方向の折り線５を介して横方向に連接された２葉片からなる一組の単位シートが横方向の折り線６を介して縦方向に２組連接された封書シートＳ１を、前記縦方向の折り線５から折り畳んだ後に前記横方向の折り線６から二つ折りに折り畳んだ折り畳み封書であり、前記折り畳み封書の周囲の縁辺の封緘が、下縁辺においては横方向の折り線６の折り返しによる封緘、左右の縦縁辺においては対向する内面に介在する疑似接着フィルムシートＧの剥離可能な接着による封緘、上縁辺においては葉片の縁辺からはみ出した疑似接着フィルムシートＧの剥離可能な接着による封緘により形成されていることを特徴とする。【選択図】図３
2019104220.tif 000002
【特許請求の範囲】
【請求項１】
縦方向の折り線を介して横方向に連接された複数の葉片からなる一組の単位シートが横方向の折り線を介して縦方向に２組連接された封書シートを、前記縦方向の折り線から折り畳んだ後に最終的に前記横方向の折り線から二つ折りに折り畳んだ折り畳み封書であり、前記折り畳み封書の４周囲の縁辺の封緘が、下縁辺においては横方向の折り線の折り返しによる封緘、左右の縦縁辺においては横方向の折り線から折り畳まれた際に対向する内面に介在する疑似接着フィルムシートの剥離可能な接着による封緘、上縁辺においては葉片の縁辺からはみ出した疑似接着フィルムシートの剥離可能な接着による封緘により形成されていることを特徴とした折り畳み封書。
【請求項２】
下縁辺及び／又は上縁辺を切除して開封することを特徴とした請求項１に記載の折り畳み封書。
【請求項３】
下縁辺及び／又は上縁辺に沿って開封手段が形成されていることを特徴とした請求項１に記載の折り畳み封書。
【請求項４】
請求項１の折り畳み封書において下縁辺及び／又は上縁辺が切除され封緘状態が開放されていることを特徴とした折り畳み封書。
【発明の詳細な説明】
【技術分野】
【０００１】  本発明は、用紙の折り畳みにより得られる封書であり、開封後平面に展開することができ、大量の情報伝達が可能であると共に極めて容易に製造できる折り畳み封書とその製造方法に関する。
【背景技術】
【０００２】  従来、案内状やパンフレット等の大量の情報を伝達する手段として、封筒に各種広告宣伝物を封入封緘して郵送する方法が一般的である。しかし最近では個人情報等の管理が重要となり、誤って受取人と異なる他人の情報を記載した封書を発送するような事故は極力避ける必要がある。また発送側としては多数の個別の情報を封入封緘する作業に係る多大な経費を削減したいところである。そのような状況下、例えば特開２０００−４３４５６号に記載される折り畳み封書用シートが提案されている。
【先行技術分野】
【特許文献】
【０００３】
【特許文献１】特開２０００−４３４５６号公報
【発明の概要】
【発明が解決しようとする課題】
【０００４】  既述の引用文献に記載される折り畳み封書用シートは、一枚のシートに一対一対応で情報を記載して折り畳み封書に仕上げるため、誤って他人の情報が混じることはない。また折り畳むことで封書に仕上がるので封入封緘の手間も省ける等の長所がある。しかし特殊加工を必要とする突出した封緘辺、封緘のための接着剤塗布、開封に際して封着片を引きちぎるための切取ミシン加工、接着部分が容易に剥離するための剥離剤塗布加工、二条のミシン目による開封手段等の複雑で手間が掛かる加工が必要で、既述の長所があるにも関わらず割高についてしまう。【０００５】  本発明の折り畳み封書は、上記問題に鑑み、一枚のシートに情報を記載して折り畳み封書に仕上げるため、一つの封筒に複数の紙片、情報を封入する際に起こる他人の情報の誤封入等の事故が起こらず、開封後は平面に展開するため情報の確認がしやすく、製造に関しても極めて容易に死蔵することが可能な折り畳み封書を提供することを目的としている。
【課題を解決するための手段】
【０００６】  上記目的を達成するために、本発明の折り畳み封書は、縦方向の折り線を介して横方向に連接された複数の葉片からなる一組の単位シートが横方向の折り線を介して縦方向に２組連接された封書シートを、前記縦方向の折り線から折り畳んだ後に最終的に前記横方向の折り線から二つ折りに折り畳んだ折り畳み封書であり、
前記折り畳み封書の４周囲の縁辺の封緘が、下縁辺においては横方向の折り線の折り返しによる封緘、左右の縦縁辺においては横方向の折り線から折り畳まれた際に対向する内面に介在する疑似接着フィルムシートの剥離可能な接着による封緘、上縁辺においては葉片の縁辺からはみ出した疑似接着フィルムシートの剥離可能な接着による封緘により形成されていることを特徴としている。【０００７】  なお本発明の折り畳み封書は、下縁辺が最終的に封書シート全体を大きく二つ折りにした際の折り線部分（折り返し部分）になるため自動的に封緘される。そしてその他の各辺は前記二つ折りに際して対向する疑似接着予定面に被覆された疑似接着フィルムシートにより剥離可能に接着されることにより封緘される。【０００８】  本発明の封書シートに使用される紙材は、例えば上質紙、マット紙、コート紙等の通常の用紙、合成紙、不織布或いは樹脂フィルムシート等を好適に使用することができる。そして折り畳まれた対向面同士を剥離可能に接着する疑似接着に使用する疑似接着フィルムシートは、例えばポリエチレンテレフタレートや二軸延伸ポリプロピレン等からなる基材の一方の面に、公知の感熱接着剤層を形成すると共に、残るもう一方の面に疑似接着層を形成したサーマルラミネート法に対応したものを好適に使用することができる。このものは印刷物表面に前記感熱接着剤層を介して剥離不能に接着した後、疑似接着層が対向するように折り畳み加圧或いは加熱・加圧処理を施すことで対向面同士が剥離可能に接着する。【０００９】  なお、本発明の折り畳み封書は、一枚の封書シートを縦横に折り畳み完成されるものであるが、前記折り線に形成されるミシン目や折り筋等の折り手段は、折り畳み封書の製造工程中で行われる。従って疑似接着フィルムシートの被覆前にミシン目が形成された場合、封書シートのみにミシン目は形成されているが、被覆後に形成された場合は両者に形成されることになる。本発明では何れの場合でも構わない。【００１０】  本発明の折り畳み封書は当初縦方向の折り線から折り畳み、続いて横方向の折り線から上下に分割された葉片群を二つ折りに折り畳み、例えば長３サイズ或いはＡ４を主体としたメール便サイズの封書に仕上げる。そして前記横方向の折り線からの折り畳みの際に対向する葉片の対向面間を剥離可能に接着する。そうすることで封書の全周囲の縁辺が封緘される【００１１】  本発明の折り畳み封書は最終的に横方向の折り線から折り畳むため、前記横方向の折り線で形成される下縁辺は袋状に閉じられ封緘状態となっている。なお実施例等で前記閉じられている辺を下縁辺と表現しているが、最終的に製造された折り畳み封書のデザインにより上縁辺を袋状に閉じられた辺としても構わない。また横長方向にデザインした場合、左右何れかの縁辺が袋状の閉じられた辺となる。
【発明の効果】
【００１２】  本発明の折り畳み封書は、一枚のシートに全ての情報を記載し折り畳み封書に仕上げるので、個人情報を印字した複数の別体の紙片を集めて封入封緘する場合に起こる他人の情報を誤封入してしまう等の重大な事故がない。
また製造の際に、封書シートに疑似接着フィルムシートを被覆するだけで面倒な封緘作業が容易に行えるので、素人でも大量の折り畳み封書を短時間で製造することが可能になる。勿論個別の専用機による作業で行っても、簡易な構成の機械で極めて容易に折り畳み封書を製造することができる。
【図面の簡単な説明】
【００１３】
【図１】（Ａ）は４つ折り封書Ｆ１の表面図、（Ｂ）は裏面図である。
【図２】（Ａ）は図１におけるア−ア線断面図、（Ｂ）はイ−イ線断面図である。
【図３】（Ａ）は封書シートＳ１の表面図、（Ｂ）は裏面図である。
【図４】（Ａ）は封書シートＳ１を第一葉片１と第二葉片２の裏面同士が対向するように、さらに第三葉片３と第四葉片４の裏面同士が対向するように縦方向の折り線５から折り畳んだ様子を示す平面図、（Ｂ）は（Ａ）におけるウ−ウ線断面図、（Ｃ）は（Ａ）におけるエ−エ線断面図である。
【図５】（Ａ）は６つ折り封書Ｆ２の表面図、（Ｂ）は裏面図である。
【図６】（Ａ）は図５におけるオ−オ線断面図、（Ｂ）はカ−カ線断面図である。
【図７】（Ａ）は封書シートＳ２の表面図、（Ｂ）は裏面図である。
【図８】（Ａ）は封書シートＳ２を第三葉片１３及び第二葉片１２の裏面同士が対向するように、さらに第六葉片１６及び第五葉片１５の裏面同士が対向するように縦方向の折り線１８から折り畳んだ様子を示す平面図、（Ｂ）は（Ａ）におけるキ−キ線断面図、（Ｃ）は（Ａ）におけるク−ク線断面図である。
【図９】（Ａ）は図８の状態の封書シートＳ２を、第一葉片１１裏面及び第三葉片１３表面が対向するように、さらに第四葉片１４裏面及び第六葉片１６表面が対向するように縦方向の折り線１７から折り畳んだ様子を示す平面図、（Ｂ）は（Ａ）におけるケ−ケ線断面図、（Ｃ）は（Ａ）におけるコ−コ線断面図である。
【図１０】（Ａ）は６つ折り封書Ｆ３の表面図、（Ｂ）は裏面図である。
【図１１】（Ａ）は図１０（Ａ）におけるサ−サ線断面図、（Ｂ）はシ−シ線断面図である。
【図１２】（Ａ）は封書シートＳ３の表面図、（Ｂ）は裏面図である。
【図１３】（Ａ）は封書シートＳ３を第四葉片２４及び第三葉片２３の裏面と第一葉片２１及び第二葉片２２の裏面同士が対向するように、さらに第八葉片２８及び第七葉片２７の裏面と第五葉片２５及び第六葉片２６の裏面同士が対向するように縦方向の折り線３０から折り畳んだ様子を示す平面図、（Ｂ）は（Ａ）におけるス−ス線断面図、（Ｃ）は（Ａ）におけるセ−セ線断面図である。
【図１４】（Ａ）は図１３の状態の封書シートＳ３を、第四葉片２４及び第三葉片２３の表面同士が対向するように、さらに第八葉片２８及び第七葉片２７の表面同士が対向するように縦方向の折り線３１及び２９から折り畳んだ様子を示す平面図、（Ｂ）は（Ａ）におけるソ−ソ線断面図、（Ｃ）は（Ａ）におけるタ−タ線断面図である。
【図１５】（Ａ）は６つ折り封書Ｆ４の表面図、（Ｂ）は裏面図である。
【図１６】（Ａ）は図１５（Ａ）におけるチ−チ線断面図、（Ｂ）はツ−ツ線断面図である。
【図１７】（Ａ）は封書シートＳ４の表面図、（Ｂ）は裏面図である。
【図１８】（Ａ）は封書シートＳ４を第三葉片４３及び第二葉片４２の裏面同士が対向するように、さらに第六葉片４６及び第五葉片４５の裏面同士が対向するように縦方向の折り線４８から折り畳んだ様子を示す平面図、（Ｂ）は（Ａ）におけるテ−テ線断面図、（Ｃ）は（Ａ）におけるト−ト線断面図である。
【図１９】（Ａ）は図１８の状態の封書シートＳ４を、第一葉片４１の裏面と第三葉片４３の表面が対向するように、さらに第四葉片４４の裏面と第六葉片４６の表面が対向するように縦方向の折り線４７から折り畳んだ様子を示す平面図、（Ｂ）は（Ａ）におけるナ−ナ線断面図、（Ｃ）は（Ａ）におけるニ−ニ線断面図である。
【発明を実施するための形態】
【実施例１】
【００１４】  以下、本発明の実施の形態を図面に基づいて具体的に説明する。
［４つ折り封書Ｆ１］
図１（Ａ）及び（Ｂ）に示される本実施例１の４つ折り封書Ｆ１は、例えば図３（Ａ）及び（Ｂ）に示す封書シートＳ１から作られる。封書シートＳ１は縦方向の折り線５により横方向に連接された第一葉片１及び第二葉片２が、同様に縦方向の折り線５により横方向に連接された第三葉片３及び第四葉片４と横方向の折り線６を介して、第一葉片１と第三葉片３及び第二葉片２と第四葉片４がそれぞれ隣接するように上下に連接されている。【００１５】  そして前記封書シートＳ１表面は図３（Ａ）に示すように、第二葉片２及び第四葉片４の右側一部分を除いて疑似接着フィルムシートＧにより被覆されている。なお前記疑似接着フィルムシートＧは、２葉片の上下縁辺からはみ出した状態で被覆されている。また図３（Ｂ）に示すように、封書用シートＳ１裏面は、第一葉片１及び第三葉片３の略全面が疑似接着フィルムシートＧに被覆されている。そして前記疑似接着フィルムシートＧも、既述の封書シートＳ１表面と同様に、４葉片の上下縁辺からはみ出した状態で被覆されている。【００１６】  なお縦方向の折り線５及び横方向の折り線６に折りミシンや折り筋等の折り手段を形成しておいて正確に折り畳めるようにしても構わない。本実施例１では全ての折り線に折りミシンが形成されている。また折りミシン等の折り手段の形成が封書シートＳ１を形成するシートのみになされていても良く、或いは疑似接着フィルムシートＧと共になされていても構わない。本実施例１では両者共に折りミシンが形成されている。なおこの点については以下の実施例でも同様である。【００１７】  既述の構成の封書シートＳ１は図４（Ａ）、（Ｂ）及び（Ｃ）に示すように、第一葉片１の裏面と第二葉片２の裏面同士が対向するように、また第三葉片３の裏面と第四葉片４の裏面同士が対向するようにそれぞれ縦方向の折り線５から折り畳まれる。【００１８】  そしてその次に、第二葉片２の表面と第四葉片４の表面同士が対向するように横方向の折り線６から二つ折りに折り合わせ、図２（Ａ）に示す状態に折り畳む。【００１９】  既述の通り折り畳まれた封書シートＳ１は、プレスローラ或いはヒートローラ等により加圧或いは加熱・加圧処理を施すことにより、各葉片の対向面間に介在する疑似接着フィルムシートＧ同士は剥離可能に接着され、封書の周囲が封緘されることにより図１（Ａ）及び（Ｂ）の状態、即ち４つ折り封書Ｆ１となるのである。【００２０】  このようにして製造される４つ折り封書Ｆ１は図２（Ａ）に示すように、上から第一葉片１、第二葉片２、第四葉片４及び第三葉片３の順に積み重ねられる。そして折り畳み封書Ｆ１の左側の縦方向の縁辺は、突出している第一葉片１及び第三葉片３の対向面間に介在する疑似接着フィルムシートＧにより封緘され、右側縦方向の縁辺は第二葉片２及び第四葉片４の対向面間に介在する疑似接着フィルムシートＧにより封緘されている。また図２（Ｂ）に示すように、下側縁辺は折り線６の折り畳みによる袋とじ状態により封緘されると共に上側縁辺は、はみ出している疑似接着フィルムシートＧにより封緘され、このように４つ折り封書Ｆ１の周囲は封緘されているのである。【００２１】  この４つ折り封書Ｆ１の受取人は例えば、図１（Ａ）及び���Ｂ）に示す、第一葉片１表面の上縁辺に沿って記載されている切取ミシンや鋏の表示、或いは「ここから切り落として開けて下さい。」の文言に従って、鋏やカッター等の切除道具により前記切取りミシンを切除する。そして右上側のコーナー部分に記載された三角の網点からなるデザインと、その中に記載されている「開封」の指示に従い、図２（Ａ）に示すように、４つ折り封書Ｆ１の右側縦方向縁辺に沿って形成されている、疑似接着フィルムシートＧが被覆されていない非接着領域を剥離の端緒として開封を開始する。そして引き続き４つ折り封書Ｆ１を引き剥がしていくと、その他の縁辺は全て剥離可能な疑似接着フィルムシートＧにより封緘されているため、最終的に図３（Ａ）及び（Ｂ）に示す当初の封書シートＳ１の平面状態（但し当初封書シートＳ１からはみ出していた疑似接着フィルムシートＧは開封の際の切除により切り落とされた状態）に展開することができる。そして内部に隠されていた各種情報を、透明或いは半透明な疑似接着フィルムシートＧを透して確認することができるのである。【００２２】  また最後の実施例で詳述するが、例えば下側縁辺に沿って切取線を破線で示し、鋏のマーク或いは「ここから切り落として開けてください。」の文言等を表記しておいて、カッターや鋏等の公知の切除道具により前記切取線を切除することにより、第一葉片１及び第二葉片２の連接シートと第三葉片３及び第四葉片４の連接シートが分離する態様にしても構わない。なおこの点については以下の実施例でも同様である。【００２３】  前記の場合各葉片の前記切取線に対応し一致する部分に切取ミシンを形成し容易に一括破断できるようにしておくことにより、切除道具を使用することなく手で破断して除去できるようにしても構わない。また図２（Ｂ）に示す横方向の折り線６部分に開封用の切取ミシンを形成しておいて、前記横方向の折り線６を手で破断して袋とじ状態を解除できるように操作しても構わない。なお横方向の折り線６に開封用の切取ミシンを形成する場合、開封後に切除片が切り屑として残らず極めて至便である。なおこの点についても以下の実施例で同様である。
【実施例２】
【００２４】［６つ折り封書Ｆ２］
図５（Ａ）及び（Ｂ）に示される本実施例２の６つ折り封書Ｆ２は、例えば図７（Ａ）及び（Ｂ）に示す封書シートＳ２から作られる。封書シートＳ２は縦方向の折り線１７及び１８により横方向に連接された第一葉片１１、第二葉片１２及び第三葉片１３が、同様に縦方向の折り線１７及び１８により横方向に連接された第四葉片１４、第五葉片１５及び第六葉片１６と横方向の折り線１９を介して、第一葉片１１と第四葉片１４、第二葉片１２と第五葉片１５及び第三葉片１３と第六葉片１６がそれぞれ隣接するように上下に連接されている。【００２５】  そして前記封書シートＳ２表面は図７（Ａ）に示すように、第二葉片１２及び第五葉片１５の右側一部分を除いて疑似接着フィルムシートＧにより被覆されている。なお前記疑似接着フィルムシートＧは、２葉片の上下縁辺からはみ出した状態で被覆されている。また図７（Ｂ）に示すように、封書用シートＳ２裏面は、第一葉片１１及び第四葉片１４の略全面が疑似接着フィルムシートＧに被覆される。なお前記疑似接着フィルムシートＧも、既述の封書シートＳ２表面と同様に、２葉片の上下縁辺からはみ出した状態で被覆されている。【００２６】  既述の構成の封書シートＳ２は図８（Ａ）、（Ｂ）及び（Ｃ）に示すように、第三葉片１３の裏面と第二葉片１２の裏面同士が対向するように、また第六葉片１６の裏面と第五葉片１５の裏面同士が対向するようにそれぞれ縦方向の折り線１８から折り畳まれる。【００２７】  引き続き図８（Ｂ）及び（Ｃ）に矢印で示すように、第一葉片１１裏面と第三葉片１３表面が対向するように、また第四葉片１４裏面と第六葉片１６表面が対向するように折り線１７から、図９（Ａ）、（Ｂ）及び（Ｃ）に示す状態に折り畳む。【００２８】  そして前記図９（Ａ）、（Ｂ）及び（Ｃ）の状態に折り畳まれた封書シートＳ２を、第二葉片１２表面と第五葉片１５表面同士が対向するように横方向の折り線１９から二つ折りに折り合わせ図６（Ａ）に示す状態に折り畳む。【００２９】  既述の通り折り畳まれた封書シートＳ２は、プレスローラ或いはヒートローラ等により加圧或いは加熱・加圧処理を施すことにより、各葉片の対向面間に介在する疑似接着フィルムシートＧ同士は剥離可能に接着され、封書の周囲が封緘されることにより図５（Ａ）及び（Ｂ）の状態、即ち６つ折り葉書Ｆ２となるのである。【００３０】  このようにして製造される６つ折り封書Ｆ２は図６（Ａ）に示すように、上から第一葉片１１、第三葉片１３、第二葉片１２、第五葉片１５、第六葉片１６及び第四葉片１４の順に積み重ねられる。そして折り畳み封書Ｆ２の左側縦方向の縁辺は、突出している第一葉片１１及び第四葉片１４の対向面間に介在する疑似接着フィルムシートＧにより封緘され、右側縦方向の縁辺は第二葉片１２及び第五葉片１５の対向面間に介在する疑似接着フィルムシートＧにより封緘されている。また図６（Ｂ）に示すように、下側縁辺は折り線１９の折り畳みによる袋とじ状態により封緘されると共に上側縁辺は、はみ出している疑似接着フィルムシートＧにより封緘され、このように６つ折り封書Ｆ２の周囲は封緘されているのである。【００３１】  この６つ折り封書Ｆ２の受取人は例えば、図５（Ａ）及び���Ｂ）に示す、第一葉片１１表面の上縁辺に沿って記載されている切取ミシンや鋏の表示、或いは「ここから切り落として開けて下さい。」の文言に従って、鋏やカッター等の切除道具により切除する。そして右上側のコーナー部分に記載された三角の網点からなるデザインと、その中に記載されている「開封」の指示に従い、図６（Ａ）に示すように、６つ折り封書Ｆ２の右側縦方向縁辺に沿って形成されている、疑似接着フィルムシートＧが被覆されていない非接着領域を剥離の端緒として開封を開始する。そして引き続き６つ折り封書Ｆ２を引き剥がしていくと、その他の縁辺は全て剥離可能な疑似接着フィルムシートＧにより封緘されているため、最終的に図７（Ａ）及び（Ｂ）に示す当初の封書シートＳ２の平面状態（但し当初封書シートＳ２からはみ出していた疑似接着フィルムシートＧは開封の際の切除により切り落とされた状態）に展開することができる。そして内部に隠されていた各種情報を、透明或いは半透明な疑似接着フィルムシートＧを透して確認することができるのである。【００３２】  また下側縁辺に沿って切取線や各種切除を促すマークや文言を表記しておいて、公知の切除道具により下側縁辺を切除して、第一葉片１１、第二葉片１２及び第三葉片１３の連接シートと第四葉片１４、第五葉片１５及び第六葉片１６の連接シートが分離する態様にできることは前記実施例１と同様であり、以下の実施例でも同様である。【００３３】  さらに前記切取線を一括破断できるようにしておき、切除道具を使用することなく手で破断して除去できるようにしたり、或いは横方向の折り線１９部分に開封用の切取ミシンを形成したりして、開封後に切除片が切り屑として残らないようする等各種開封手段を施すことが可能であることも以下の実施例において同様である。【００３４】  なお前記実施例１では全ての対向面間が疑似接着フィルムシートＧを介して剥離可能に接着されているが、本実施例２では６つ折り封書Ｆ２の周囲の縁辺を封緘するために最小限の対向面間に疑似接着フィルムシートＧが介在するよう設計されている。この点について以下の実施例でも同様で、何れも最小限の対向面間及び最小限の疑似接着予定面で折り畳み封書の各縁辺を封緘するよう設計されている。
【実施例３】
【００３５】［８つ折り封書Ｆ３の製造方法］
図１０（Ａ）、（Ｂ）及び図１１（Ａ）、（Ｂ）に示される本実施例３の８つ折り封書Ｆ３は、例えば図１２（Ａ）及び（Ｂ）に示す封書シートＳ３から作られる。封書シートＳ３は縦方向の折り線２９、３０及び３１により横方向に連接された第一葉片２１、第二葉片２２、第三葉片２３及び第四葉片２４が、同様に縦方向の折り線２９、３０及び３１により横方向に連接された第五葉片２５、第六葉片２６、第七葉片２７及び第八葉片２８と横方向の折り線３２を介して、第一葉片２１と第五葉片２５、第二葉片２２と第六葉片２６、第三葉片２３と第七葉片２７及び第四葉片２４と第八葉片２８がそれぞれ隣接するように上下に連接されている。【００３６】  そして前記封書シートＳ２表面は図１２（Ａ）に示すように、第二葉片２２及び第六葉２６の右側一部分を除いて疑似接着フィルムシートＧにより被覆されている。なお前記疑似接着フィルムシートＧは、２葉片の上下縁辺からはみ出した状態で被覆されている。また図１２（Ｂ）に示すように、封書用シートＳ３裏面は、第一葉片２１及び第５葉片２５の略全面と第二葉片２２及び第六葉片２６の左側一部分を除いて疑似接着フィルムシートＧに被覆されている。なお前記疑似接着フィルムシートＧも、既述の封書シートＳ３表面と同様に、２葉片の上下縁辺からはみ出した状態で被覆されている。【００３７】  既述の構成の封書シートＳ３は第一段階として図１３（Ａ）、（Ｂ）及び（Ｃ）に示すように、第一葉片２１、第二葉片２２の裏面側及び第五葉片２５、第六葉片２６の裏面側を縦方向の折り線３０から第四葉片２４、第三葉片２３の裏面側及び第八葉片２８、第七葉片２７裏面側へ折り合わせ二つ折り状態に折り畳む。【００３８】  引き続き前記二つ折りに折り畳まれた封書シートＳ３は、図１３（Ｂ）及び（Ｃ）に矢印で示すように、第四葉片２４の表面と第三葉片２３の表面同士が対向するように、また第八葉片２８の表面と第七葉片２７の表面同士が対向するようにそれぞれ重なり合う折り線３１及び２９から折り合わせて図１４（Ａ）、（Ｂ）及び（Ｃ）の状態に折り畳む。【００３９】  そして前記図１４（Ａ）、（Ｂ）及び（Ｃ）の状態に折り畳まれた封書シートＳ３を、第二葉片２２表面と第六葉片２６表面同士が対向するように横方向の折り線３２から二つ折りに折り合わせ、図１１（Ａ）の状態に折り畳んだ後にプレスローラ或いはヒートローラ等により加圧或いは加熱・加圧処理を施せば、各葉片の対向面間に介在する疑似接着フィルムシートＧ同士が剥離可能に接着されて図１０（Ａ）及び（Ｂ）に示される状態、即ち８つ折り封書Ｆ３となるのである。【００４０】  このようにして製造される８つ折り封書Ｆ３は図１１（Ａ）に示すように、上から第一葉片２１、第四葉片２４、第三葉片２３、第二葉片２２、第六葉片２６、第七葉片２７、第八葉片２８及び第五葉片２５の順に積み重ねられる。
そして折り畳み封書Ｆ３の左側縦方向の縁辺は突出している第一葉片２１及び第五葉片２５に介在する疑似接着フィルムシートＧにより封緘され、右側縦方向の縁辺は第二葉片２２及び第六葉片２６の対向面間に介在する疑似接着フィルムシートＧにより封緘されている。また図１１（Ｂ）に示すように下側縁辺は、折り線３２の折り畳みによる袋とじ状態により封緘されると共に上側縁辺は、はみ出している疑似接着フィルムシートＧにより封緘され、このように８つ折り封書Ｆ３の周囲は封緘されているのである。【００４１】  この８つ折り封書Ｆ３の受取人は例えば、図１０（Ａ）に示す、第一葉片２１表面の上縁辺に沿って記載されている切取ミシンや鋏の表示、或いは「ここから切り落として開けて下さい。」の文言に従って、鋏やカッター等の切除道具により切除する。そして右上側のコーナー部分に記載された三角の網点からなるデザインと、その中に記載されている「開封」の指示に従い、図１１（Ａ）に示すように、８つ折り封書Ｆ３の右側縦方向縁辺に沿って形成されている、疑似接着フィルムシートＧが被覆されていない非接着領域を剥離の端緒として開封を開始する。そして引き続き８つ折り封書Ｆ３を引き剥がしていくと、その他の縁辺は全て剥離可能な疑似接着フィルムシートＧにより封緘されているため、最終的に図１２（Ａ）及び（Ｂ）に示す当初の封書シートＳ３の平面状態（但し当初封書シートＳ３からはみ出していた疑似接着フィルムシートＧは開封の際の切除により切り落とされた状態）に展開することができる。そして内部に隠されていた各種情報を、透明或いは半透明な疑似接着フィルムシートＧを透して確認することができるのである。
【実施例４】
【００４２】［６つ折り封書Ｆ４］
図１５（Ａ）及び（Ｂ）に示される本実施例４の６つ折り封書Ｆ４は、例えば図１７（Ａ）及び（Ｂ）に示す封書シートＳ４から作られる。前記封書シートＳ４は縦方向の折り線４７及び４８により横方向に連接された第一葉片４１、第二葉片４２及び第三葉片４３が、同様に縦方向の折り線４７及び４８により横方向に連接された第四葉片４４、第五葉片４５及び第六葉片４６と横方向の折り線４９を介して、第一葉片４１と第四葉片４４、第二葉片４２と第五葉片４５及び第三葉片４３と第六葉片４６がそれぞれ隣接するように上下に連接されている。【００４３】  そして前記封書シートＳ４表面は図１７（Ａ）に示すように、第二葉片４２及び第五葉片４５が右側一部分を除いて疑似接着フィルムシートＧにより被覆されている。なお前記疑似接着フィルムシートＧは、２葉片の上下縁辺からはみ出した状態で被覆されている。また図１７（Ｂ）に示すように、封書用シートＳ４裏面は、第一葉片４１及び第四葉片４４の全面と折り線４７を跨いで第二葉片４２及び第五葉片４５の右側一部分が疑似接着フィルムシートＧに被覆される。なお前記疑似接着フィルムシートＧも、既述の封書シートＳ４表面と同様に、２葉片の上下縁辺からはみ出した状態で被覆されている。【００４４】  本実施例４と既述の実施例２の６つ折り封書Ｆ２との相違は、封書シートＳ４裏面の第一葉片４１及び第四葉片４４（封書シートＳ２の第一葉片１１及び第四葉片１４に相当）に被覆されている疑似接着フィルムシートＧが、実施例２においては略全面が被覆されているのに対して、本実施例４では第一葉片４１及び第四葉片４４の全面と折り線４７を跨いで第二葉片４２及び第五葉片４５の右側一部分も被覆されていることで、その他の要件は略同じである。【００４５】  既述の構成の封書シートＳ４は図１８（Ａ）、（Ｂ）及び（Ｃ）に示すように、第三葉片４３の裏面と第二葉片４２の裏面同士が対向するように、また第六葉片４６の裏面と第五葉片４５の裏面同士が対向するようにそれぞれ縦方向の折り線４８から折り畳まれる。【００４６】  引き続き図１８（Ｂ）及び（Ｃ）に矢印で示すように、第一葉片４１裏面と第三葉片４３表面が対向するように、また第四葉片４４裏面と第六葉片４６表面が対向するように折り線４７から折り畳み、図１９（Ａ）、（Ｂ）及び（Ｃ）に示す状態にする。【００４７】  そして前記図１９（Ａ）、（Ｂ）及び（Ｃ）の状態に折り畳まれた封書シートＳ４を、第二葉片４２の表面と第五葉片４５の表面同士が対向するように横方向の折り線４９から二つ折りに折り合わせ、図１６（Ａ）に示す状態に折り畳む。【００４８】  既述の通り折り畳まれた封書シートＳ４は、プレスローラ或いはヒートローラ等により加圧或いは加熱・加圧処理を施すことにより、各葉片の対向面間に介在する疑似接着フィルムシートＧ同士は剥離可能に接着され、封書の周囲が封緘されることにより図１５（Ａ）及び（Ｂ）の状態、即ち６つ折り葉書Ｆ４となるのである。【００４９】  このようにして製造される６つ折り封書Ｆ４は図１６（Ａ）に示すように、上から第一葉片４１、第三葉片４３、第二葉片４２、第五葉片４５、第六葉片４６及び第四葉片４４の順に積み重ねられる。そして折り畳み封書Ｆ���の左側縦方向の縁辺は突出した第一葉片４１及び第四葉片４４の対向面間に介在する疑似接着フィルムシートＧにより封緘され、右側縦方向の縁辺は第二葉片４２及び第五葉片４５の対向面間に介在する疑似接着フィルムシートＧにより封緘されている。また図１６（Ｂ）に示すように、下側縁辺は折り線４９の折り畳みによる袋とじ状態により封緘されると共に上側縁辺は、はみ出している疑似接着フィルムシートＧにより封緘される。このように６つ折り封書Ｆ４の周囲は封緘されているのである。【００５０】  この６つ折り封書Ｆ４の受取人は例えば、図１５（Ａ）に示す、第一葉片４１表面の上縁辺に沿って記載されている切取ミシンや鋏の表示、或いは「ここから切り落として開けて下さい。」の文言に従って、鋏やカッター等の切除道具により切除する。そして右上側のコーナー部分に記載された三角の網点からなるデザインと、その中に記載されている「開封」の指示に従い、図１６（Ａ）に示すように、６つ折り封書Ｆ４の右側縦方向縁辺に沿って形成されている、疑似接着フィルムシートＧが被覆されていない非接着領域を剥離の端緒として開封を開始する。そして引き続き６つ折り封書Ｆ４を引き剥がしていくと、その他の縁辺は全て剥離可能な疑似接着フィルムシートＧにより封緘されているため、最終的に図１７（Ａ）及び（Ｂ）に示す当初の封書シートＳ４の平面状態（但し当初封書シートＳ４からはみ出していた疑似接着フィルムシートＧは開封の際の切除により切り落とされた状態）に展開することができる。そして内部に隠されていた各種情報を、透明或いは半透明な疑似接着フィルムシートＧを透して確認することができるのである。【００５１】  なお本発明は上記実施例に限られるものではない。
例えば、上記実施例では上下に２葉片を配置した合計４葉片の封書シート、３葉片を配置した合計６葉片の封書シート或いは上下に４葉片を配置した合計８葉片の封書シートが使用されているが、その他に上下５葉片を配置した合計１０葉片或いはそれ以上の葉片から構成される封書シートを使用しても構わない。
また封書シートの折りの形態に関しては、実施例の折り形態に限られることはなく、蛇腹折りや巻き折り、観音開き折りやそれらの混合折り等であっても一向に構わない。
さらに各葉片の幅や高さに格別な制限はなく自由に選択すればよい。
さらにまた、開封に際して疑似接着フィルムシートＧがはみ出した上側縁辺を切除して開封しているが、下側縁辺を切除して開封するように設計しても構わない。この場合、横方向の折り線で上下に連接していた単位シートが２枚に分離することになる。また上下縁辺共に切除すれば、はみ出していたフィルムシートがなくなり最終的にすっきりした状態で展開できる。【００５２】  本発明の折り畳み封書の製造方法は、封書シートが印刷された長尺状シート或いは枚葉状シートに以下の工程が付加されて製造される。
１）折り畳み封書シートが印刷された長尺状シート或いは枚葉状シートに、疑似接着フィ    ルムシートＧを被覆する被覆工程。
２）疑似接着フィルムシートＧが所定の位置に被覆された長尺状シート或いは枚葉状シー    トを折り畳む折り畳み工程。
３）折り畳まれた長尺状シート或いは枚葉状シートを個別の折り畳み封書シートＳに切り    出す切り出し工程。
４）切り出された折り畳み封書シートＳに加圧或いは加熱・加圧処理を施して、疑似接着    を完了する接着工程。
なお、上記製造工程は一例であり、各工程の順序が入れ替わっても構わない。また折りミシンや折り筋等の折り手段形成工程が何れかの工程間に配置されても構わず、さらに個別に切り出すに際して、流れ方向の余白をスリッターにより切除した後に天地方向をダイカットローラやギロチン方式の断裁機により断裁する等、段階的に実行されても構わない。
さらにまた、各種フィルムシートが被覆された長尺状シート或いは枚葉状シートを個別に切り出し、その後折り畳み工程を経て最終的に疑似接着を完了しても構わない。それら工程の順序や追加される折り手段形成工程等の配置は、長尺状シート或いは枚葉状シートの取り扱いに適した配置の工程で製造されることになる。
【符号の説明】
【００５３】  Ｆ１  ４つ折り封書
Ｆ２、Ｆ４  ６つ折り封書
Ｆ３  ８つ折り封書
Ｓ１、Ｓ２、Ｓ３、Ｓ４  封書シート
Ｇ  疑似接着フィルムシート
１、２、３、４、１１、１２、１３、１４、１５、１６、２１、２２、２３、２４、２５、２６、２７、２８、４１、４２、４３、４４、４５、４６  葉片
５、１７、１８、２９、３０、３１、４７、４８  縦方向の折り線
６、１９、３２、４９  横方向の折り線
【図１】
2019104220.tif 000003
【図２】
2019104220.tif 000004
【図３】
2019104220.tif 000005
【図４】
2019104220.tif 000006
【図５】
2019104220.tif 000007
【図６】
2019104220.tif 000008
【図７】
2019104220.tif 000009
【図８】
2019104220.tif 000010
【図９】
2019104220.tif 000011
【図１０】
2019104220.tif 000012
【図１１】
2019104220.tif 000013
【図１２】
2019104220.tif 000014
【図１３】
2019104220.tif 000015
【図１４】
2019104220.tif 000016
【図１５】
2019104220.tif 000017
【図１６】
2019104220.tif 000018
【図１７】
2019104220.tif 000019
【図１８】
2019104220.tif 000020
【図１９】
2019104220.tif 000021